(57)【特許請求の範囲】
【請求項１】
電子銃から発射された電子ビームを水平方向に偏向させる水平偏向コイル、垂直方向に偏向させる垂直偏向コイルと、前記水平偏向コイルと垂直偏向コイルから発生した磁力の損失を防止させて磁気効率を向上させるフェライトコアと、前記水平偏向コイル、垂直偏向コイルそしてフェライトコアを所定の位置に固定して水平偏向コイルと垂直偏向コイル間を絶縁させるホルダーが含まれる偏向ヨークが形成された陰極線管において、
前記水平偏向コイルと垂直偏向コイルの横断面は四角状であり、前記フェライトコアの横断面は円形であって、
前記フェライトコアのスクリーン側開口端部分において前記パネルと平行する平面で切断した、偏向ヨークの横断面において、ホルダー外側からフェライトコア内面までの垂直軸上の距離をＹ、ホルダー外側から垂直偏向コイル内面までの垂直軸上の距離をＸ、垂直偏向コイルの垂直軸上の厚さをＺとするとき、
前記ホルダー外側から垂直偏向コイル内面までの垂直軸上の距離Ｘは０＜Ｘ＜Ｙ−Ｚを満足することを特徴とする陰極線管。
【請求項２】
前記偏向ヨークの横断面において、前記距離Ｘ、Ｙ、Ｚは、０＜Ｘ／(Ｙ−Ｚ)＜０．７を満足することを特徴とする請求項１に記載の陰極線管。
【請求項３】
前記陰極線管の画面比率は１６:９であり、前記偏向ヨークの横断面において、前記距離Ｘ、Ｙ、Ｚは０＜Ｘ／(Ｙ−Ｚ)＜０．８を満足することを特徴とする請求項１に記載の陰極線管。
【請求項４】
電子銃の軸と画面の垂直軸からなる平面で切断した前記偏向ヨークの終端面において、垂直偏向コイルの開口部端から垂直偏向コイルの直線部開始までの距離をＲ、垂直偏向コイルの開口部端からホルダーと間隔がなくなる地点までの距離をＱとするとき、
前記距離Ｑは、０＜Ｑ＜Ｒを満足することを特徴とする請求項１に記載の陰極線管。
【請求項５】
前記偏向ヨークの終端面における垂直偏向コイルの開口部端から垂直偏向コイルの直線部開始までの距離をＲ、垂直偏向コイルの開口部端からホルダーと間隔がなくなる地点までの距離をＱ、垂直偏向コイルの開口部端からフェライトコアの開口部端までの距離をＰとするとき、
前記距離Ｑは、Ｐ＜Ｑ＜Ｒを満足することを特徴とする請求項３または４に記載の陰極線管。
【請求項６】
電子銃から発射された電子ビームを水平方向に偏向させる水平偏向コイル、垂直方向に偏向させる垂直偏向コイルと、前記水平偏向コイルと垂直偏向コイルから発生した磁力の損失を防止させて磁気効率を向上させるフェライトコアと、前記水平偏向コイル、垂直偏向コイルそしてフェライトコアを所定の位置に固定して水平偏向コイルと垂直偏向コイル間を絶縁させるホルダーが含まれる偏向ヨークが形成された陰極線管において、
前記水平偏向コイルと垂直偏向コイルの横断面は四角状であり、前記フェライトコアの横断面は円形であって、
前記フェライトコアのスクリーン側開口端部分において前記パネルと平行する平面で切断した、偏向ヨークの横断面において、垂直偏向コイルは前記水平偏向コイルと垂直偏向コイルの横断面の対角の上側において垂直方向にホルダーと所定間隔離隔されて形成されて、前記対角の下方において水平方向にホルダーと所定間隔離隔されて形成されることを特徴とする陰極線管。
【発明の詳細な説明】
【０００１】
【発明の属する技術分野】
本発明はブラウン管の偏向感度が向上されるように適用する技術であって、四角断面の偏向コイルと円形のフェライトコアが含まれる偏向ヨークが形成された陰極線管に係り、特に水平偏向コイルと垂直偏向コイル間を絶縁させるホルダーとフェライトコア間に位置する四角断面の垂直偏向コイルが巻線される際の引き込み性を良くするために、四角断面を有する垂直偏向コイルの一部をホルダーと所定の間隔で離隔されるようにした陰極線管に関する。
【０００２】
【従来の技術】
図１は、従来の陰極線管を説明する図面である。
【０００３】
図１を参照すると、従来の陰極線管は３個の電子ビームが放出される電子銃４と、前記電子ビームと衝突して光を発生するように蛍光体が形成された蛍光体スクリーン１と、３個の電子ビームを色選別するシャドーマスク２と、前記電子ビームを蛍光体スクリーン１の所定位置に偏向させる偏向ヨーク３で構成される。
【０００４】
特に、偏向ヨーク３は、陰極線管内部に装着された電子銃４から放出された電子ビームを水平方向に偏向させる水平偏向コイル３１と、前記電子ビームを垂直方向に偏向させる垂直偏向コイル３３と、前記水平偏向コイル３１と垂直偏向コイル３３から発生した磁力の損失を最小化して磁気効率を向上させる円錘形のフェライトコア３４と、前記垂直偏向コイル３３と水平偏向コイル３１そしてフェライトコア３４を所定の位置に固定して水平偏向コイル３１と垂直偏向コイル３３を絶縁するホルダー３２で構成される。
【０００５】
また、付加的に偏向ヨーク及び陰極線管の製造過程の誤差によるミスコンバージェンスを補正するコンバージェンスヨーク３５と、１対のリング状の永久磁石３６が偏向ヨーク３のネック側に形成される。
【０００６】
図２は従来の陰極線管の組立て過程を説明する図面である。
【０００７】
図２を参照して簡略に説明すれば、ホルダー３２の内側には水平偏向コイルが装着され、ホルダー３２の外側には垂直偏向コイル３３が装着される。
【０００８】
その後にフェライトコア３４が垂直偏向コイル３３の外面を覆いかぶせながら装着される。
【０００９】
このような従来の偏向ヨーク３は、前記水平偏向コイル３１に１５．７５ｋＨｚまたはそれ以上の周波数を有する電流を流して、これにより発生する磁界を利用して陰極線管内部の電子ビームを水平方向に偏向させる。
【００１０】
また、前記垂直偏向コイル３３には６０Ｈｚの周波数を有する電流を流して、これにより発生する磁界を利用して電子ビームを垂直方向に偏向させる。
【００１１】
そして、前記水平偏向コイル３１及び垂直偏向コイル３３による非均一磁界を利用して３電子ビームが別途の付加回路及び付加装置を利用しない状態でも画面でコンバージェンスをなすことができるようにするセルフコンバージェンス形態の偏向ヨーク３が開発されている。
【００１２】
すなわち、水平偏向コイル３１と垂直偏向コイル３３の巻線分布を調整して部位別(開口部、中間部、ネック部)にバレル型またはピンクッション型磁界を形成して、３電子ビームの位置によって各々異なる偏向力を作用させ、電子ビームの出発地点から到着地点までの各々異なる距離から同一な地点に集まるようにする。
【００１３】
また、水平偏向コイル３１と垂直偏向コイル３３に電流を流して磁界を作る場合、水平偏向コイル３１と垂直偏向コイル３３による磁界だけでは電子ビームを画面の全面に偏向させるに難しいので、高透磁率のフェライトコア３４を用いて磁界のフィードバック経路上における損失を最小化することにより磁界の効率を高めて磁力が増大するようにする。
【００１４】
図３は、従来の偏向ヨークの断面図であって四角状の断面を有する偏向コイルと四角状のフェライトコアを説明する図面であって、図４は四角状の断面を有する偏向コイルと円形フェライトコアを説明する図面である。
【００１５】
図３と図４を参照すると、３電子ビームが磁界領域を通過する場合にフレミングの左手法則により、３電子ビームが受ける力は前記偏向コイルの内面と電子ビーム間の距離の３乗に反比例して偏向されるが、図３のように前記偏向コイル３３と前記フェライトコア３４が四角状で構成される偏向ヨークは、電子ビームとの距離が円形の偏向コイルとフェライトコアでなされた偏向ヨークに比べて近いために偏向感度の改善効果を得ることができる。
【００１６】
したがって、水平偏向コイルと垂直偏向コイルの断面形状が四角状で構成された偏向ヨークの場合には従来の円形状の断面を有した偏向コイルで構成された偏向ヨークに比べて電子ビームと偏向コイル間の距離が２０％程度短いために水平及び垂直偏向感度が約２０〜３０％程度改善された偏向ヨーク特性を得ることができる。
【００１７】
また、図４に示された四角状の断面を有する偏向コイル３３と値段が安い円形フェライトコア３４を用いることによって偏向感度の改善効果と共に原価低減効果を得ることができる。
【００１８】
図５は、従来の四角状の断面を有する水平偏向コイルが巻線されることを説明する図面であって、図６は従来の四角状の断面を有する垂直偏向コイルが巻線されることを説明する図面である。
【００１９】
図５と図６を参照すると、水平偏向コイル３１及び垂直偏向コイル３３は上側巻型２０と下側巻型２１間の空間に引き込まれて形成されるが、水平偏向コイル３１の場合には、図５で見るように巻型中心線４０から遠い方、すなわち対角４１の下の方で水平偏向コイル３１が巻線されるために水平偏向コイル３１が引き込まれる入口から入らなければならない距離が短い。
【００２０】
しかし、垂直偏向コイル３３は、図６で見るように偏向ヨークの特性上、巻型中心線４０に近い方、すなわち対角４１の下の方に相対的に多くの垂直偏向コイル３３が位置するようになる。
【００２１】
したがって、垂直偏向コイル３３は、垂直偏向コイル３３が引き込まれる入口で巻型中心線４０方に引き込まれなければならないので、巻線時に長い距離にわたって多くの摩擦力を受けるようになる。
【００２２】
また、四角状の断面を有した垂直偏向コイル３３は、巻型面が対角４１部分でほとんど垂直に曲がるために丸い型の巻型面を有した円形断面の垂直偏向コイル３３に比べて垂直偏向コイル３３と巻型面間の摩擦力が大きくなるようになる。
【００２３】
したがって、四角状の断面を有した垂直偏向コイル３３は、巻線時引き込み性がよくない問題点が提起される。
【００２４】
図７は、画面比率が１６:９である陰極線管の偏向ヨークの断面を説明する図面である。
【００２５】
図７を参照すると、画面比率が４:３でない１６:９の場合には図７で見るように垂直偏向コイル３３の水平方向への長さが４:３の画面比率を有した陰極線管の垂直偏向コイルに比べて長いために巻線時垂直偏向コイル３３の引き込み性がさらに脆弱になる問題点が提起される。
【００２６】
【発明が解決しようとする課題】
本発明は偏向感度が向上されるように四角状の断面を有した偏向コイルにおいて、偏向コイルの生産性を向上させて、同時に偏向コイルの製造が容易にした偏向ヨークが形成された陰極線管を提供することにその目的がある。
【００２７】
【課題を解決するための手段】
本発明は電子銃から発射された電子ビームを水平方向に偏向させる水平偏向コイル、垂直方向に偏向させる垂直偏向コイルと、前記水平偏向コイルと垂直偏向コイルから発生した磁力の損失を防止させて磁気効率を向上させるフェライトコアと、前記水平偏向コイル、垂直偏向コイルそしてフェライトコアを所定の位置に固定させて水平偏向コイルと垂直偏向コイル間を絶縁させるホルダーが含まれる偏向ヨークが形成された陰極線管において、
前記水平偏向コイルと垂直偏向コイルの横断面は四角状であり、前記フェライトコアの横断面は円形であって、
前記フェライトコアの開口部端から前記パネルと平行した平面で切断した偏向ヨークの横断面で、垂直軸上にホルダー外側の方からフェライトコア内面までの距離をＹ、垂直軸上にホルダー外側の方から垂直偏向コイル内面までの距離をＸ、垂直軸上の垂直偏向コイルの厚さをＺで定義する時、
前記垂直軸上ホルダー外側の方から垂直偏向コイル内面までの距離Ｘは０＜Ｘ＜Ｙ−Ｚを満足することを特徴とする。
【００２８】
【発明の実施の形態】
本発明による陰極線管は、電子銃から発射された電子ビームを水平方向に偏向させる水平偏向コイル、垂直方向に偏向させる垂直偏向コイルと、前記水平偏向コイルと垂直偏向コイルから発生した磁力の損失を防止させて磁気効率を向上させるフェライトコアと、前記水平偏向コイル、垂直偏向コイルそしてフェライトコアを所定の位置に固定させて水平偏向コイルと垂直偏向コイル間を絶縁させるホルダーが含まれる偏向ヨークが形成された陰極線管において、前記水平偏向コイルと垂直偏向コイルの横断面は四角状であり、前記フェライトコアの横断面は円形であって、前記フェライトコアの開口部端から前記パネルと平行した平面で切断した偏向ヨークの横断面で垂直軸上にホルダー外側の方からフェライトコア内面までの距離をＹ、垂直軸上にホルダー外側の方から垂直偏向コイル内面までの距離をＸ、垂直軸上の垂直偏向コイルの厚さをＺで定義する時、前記垂直軸上ホルダー外側の方から垂直偏向コイル内面までの距離Ｘは０＜Ｘ＜Ｙ−Ｚを満足することを特徴とする。
【００２９】
以下、添付された図面を参照して本発明による陰極線管に対して詳細に説明する。
【００３０】
図８は、本発明による陰極線管で四角状の断面を有した偏向コイルと円形のフェライトコアが結合されることを説明する図面であって、図９は本発明による陰極線管で偏向ヨークの横断面Ａ−Ａ′を説明する図面である。
【００３１】
図８と図９を参照して説明すれば、本発明による陰極線管は、電子銃から発射された電子ビームを水平方向に偏向させる水平偏向コイル３１、垂直方向に偏向させる垂直偏向コイル３３と、前記水平偏向コイル３１と垂直偏向コイル３３から発生した磁力の損失を防止して磁気効率を向上させるフェライトコア３４と、前記水平偏向コイル３１、垂直偏向コイル３３そしてフェライトコア３４を所定の位置に固定して水平偏向コイル３１と垂直偏向コイル３３間を絶縁するホルダー３２が含まれる偏向ヨークが形成された陰極線管において、前記水平偏向コイル３１と垂直偏向コイル３３の横断面は四角状であり、前記フェライトコア３４の横断面は円形であって、前記フェライトコア３４の開口部端から前記パネルと平行した平面で切断した前記偏向ヨークの横断面で垂直軸上にホルダー３２外側の方からフェライトコア３４内面までの距離をＹ、垂直軸上にホルダー３４外側の方から垂直偏向コイル３３内面までの距離をＸ、垂直軸上の垂直偏向コイル３３の厚さをＺで定義する時、前記垂直軸上ホルダー３２外側の方から垂直偏向コイル３３内面までの距離Ｘは０＜Ｘ＜Ｙ−Ｚを満足する。
【００３２】
さらに詳細に説明すれば、前記フェライトコア３４は、既存に多く用いられた丸い形態の円形フェライトコアと四角状のフェライトコアがあるが、本発明は円形フェライトコア３４と横断面が四角状である垂直偏向コイル３３が適用された偏向ヨークが形成された陰極線管に関する。
【００３３】
図９のように偏向ヨークの横断面で垂直軸上ホルダー３２と垂直偏向コイル３３は対角４１より上側の部分で所定間隔離隔されて形成される。
【００３４】
図９で垂直軸上ホルダー３２の外側の方からフェライトコア３４内面までの距離をＹ、垂直軸上ホルダー３２の外側の方から垂直偏向コイル３３の内面までの距離をＸ、垂直軸上垂直偏向コイル３３の厚さをＺで定義する。
【００３５】
前記のように垂直軸上ホルダー３２の外側の方から垂直偏向コイル３３の内面までの距離Ｘは０であることが偏向感度のために望ましいがその製造過程において問題点が発生する。
【００３６】
図１０は、本発明による陰極線管において垂直偏向コイルが巻線されることを説明する図面である。
【００３７】
図９と図１０を参照して説明すれば前記垂直偏向コイル３３は、上側巻型２０と下側巻型２１でなされた巻型で生産されるが、図９で垂直軸上ホルダー３２の外側の方から垂直偏向コイル３３の内面までの間隔Ｘが存在することによって垂直偏向コイル３３が既存より緩慢に引き込まれる。
【００３８】
言い換えれば、ホルダー３２と垂直偏向コイル３３が所定間隔離隔されて形成されるために図７で説明した従来の垂直偏向コイル３３のように対角４１部分で垂直偏向コイル３３がほとんど直角に曲がって引き込まれることでなく垂直偏向コイル３３が引き込まれる入口からその角を減らして対角４１部分で既存より緩慢に垂直偏向コイル３３が引き込まれる。
【００３９】
すなわち、巻型面が対角４１部分で緩慢に曲がるために発生する摩擦力が少なくなり垂直偏向コイル３３の引き込み性が向上されうる。
【００４０】
このような利点を得るために図９で定義された垂直軸上ホルダー３２外側の方から垂直偏向コイル３３内面までの距離Ｘは０＜Ｘ＜Ｙ−Ｚを満足することが望ましい。
【００４１】
垂直軸上ホルダー３２外側の方から垂直偏向コイル３３内面までの距離Ｘが０からＹ−Ｚに変化することによって電子ビームから垂直偏向コイル３３の距離が遠ざかるので垂直偏向感度が悪くなる問題点が発生する。
【００４２】
したがって、垂直偏向コイル３３の引き込み性を向上させるためには垂直偏向感度の悪化も考慮されなければならない。
【００４３】
図１１は、本発明による陰極線管の垂直軸上ホルダー外側の方から垂直偏向コイル内面までの距離Ｘが変化することによる垂直偏向エネルギーの悪化程度を説明する図面である。
【００４４】
図１１を参照すると、垂直偏向コイル３３がホルダー３２と密着されている時を基準にして垂直偏向エネルギー、電気抵抗、電流の自乗を１００％とするときＸが０からＹ−Ｚまで増加することによって電気抵抗と電流の自乗と垂直偏向エネルギーすべてが増加することが確認できる。
【００４５】
これはすなわち、偏向感度の悪化に併い、電子ビームを蛍光体スクリーン上の所定位置へ偏向するために、より大きい垂直偏向エネルギーが必要となることによる。このように垂直偏向エネルギー、電気抵抗および電流の増加は偏向感度の悪化に寄与している。
【００４６】
したがって、垂直偏向コイルの偏向感度と垂直偏向コイルの生産性を考慮してＸ／(Ｙ−Ｚ）は０．７より小さいことが望ましい。
【００４７】
すなわち、Ｘ／(Ｙ−Ｚ）は０＜Ｘ／(Ｙ−Ｚ)＜０．７を満足することが望ましい。
【００４８】
このような条件を満足させることによって偏向感度の悪化を最少化しながら垂直偏向コイルの生産性を極大化できる偏向ヨークの生産が可能である。
【００４９】
また、画面比率が１６:９の場合には垂直偏向コイル３３の製作時図７で説明したように摩擦力が画面比率が４:３の場合に比べて大きいために垂直偏向コイル３３の偏向感度と垂直偏向コイルの生産性を考慮してＸ／(Ｙ−Ｚ）は０．８より小さいことが望ましい。
【００５０】
すなわち、Ｘ／(Ｙ−Ｚ）は０＜Ｘ／(Ｙ−Ｚ)＜０．８を満足することが望ましい。
【００５１】
図１２は、本発明による陰極線管で偏向ヨークを電子銃の軸方向と画面の垂直軸方向からなる平面で切断して見た断面を示す図面である。
【００５２】
図１２を参照すると、垂直偏向コイル３３の開口部端から垂直偏向コイル３３の直線部開始までの距離をＲ、垂直偏向コイル３３の開口部端からホルダー３２と間隔がなくなる地点までの距離をＱ、垂直偏向コイル３３の開口部端からフェライトコア３４の開口部端までの距離をＰで定義する時Ｑ値は次のように表現されうる。
【００５３】
０＜Ｑ＜Ｒ
しかし、垂直偏向感度と垂直偏向コイル３３の引き込み性を良くするためにＱはＰ＜Ｑ＜Ｒであることが望ましい。
【００５４】
図１３は、本発明による陰極線管の他の実施例である。
【００５５】
図１３を参照すると、垂直偏向コイル３３の形態を対角４１下の方も垂直偏向コイル３３がホルダー３２と所定間隔離隔されるように形成される。
【００５６】
図９で説明したことと異なり対角４１下の方も所定間隔離隔されることによって対角４１上側から引き込まれる角がさらに減るようになって垂直偏向コイル３３の引き込み性をさらに向上させることができる。
【００５７】
【発明の効果】
本発明による陰極線管は、偏向感度の向上のために四角断面の偏向コイルを用いることによって巻線時巻型の摩擦力が円形コイルの巻線に比べて大きいために偏向コイルの引き込み性が悪くなる問題点を解決するためにホルダーと所定間隔を置くことによって高感度の偏向感度と偏向コイルの生産性をすべて満足させることができる長所がある。
【図面の簡単な説明】
【図１】従来の陰極線管を説明する図である。
【図２】従来の陰極線管の組立て過程を説明する図である。
【図３】従来の偏向ヨークの断面図であって四角状の断面を有する偏向コイルと四角状のフェライトコアを説明する図である。
【図４】四角状の断面を有する偏向コイルと円形フェライトコアを説明する図である。
【図５】従来の四角状の断面を有する水平偏向コイルが巻線されることを説明する図である。
【図６】従来の四角状の断面を有する垂直偏向コイルが巻線されることを説明する図である。
【図７】画面比率が１６:９である陰極線管の偏向ヨークの断面を説明する図である。
【図８】本発明による陰極線管で四角状の断面を有した偏向コイルと円形のフェライトコアが結合されることを説明する図である。
【図９】本発明による陰極線管で偏向ヨークの横断面Ａ−Ａ′を説明する図である。
【図１０】本発明による陰極線管において垂直偏向コイルが巻線されることを説明する図である。
【図１１】本発明による陰極線管の垂直軸上ホルダー外側の方から垂直偏向コイル内面までの距離Ｘが変化することによる垂直偏向エネルギーの悪化程度を説明する図である。
【図１２】本発明による陰極線管で偏向ヨークを電子銃の軸方向と画面の垂直軸方向になされた平面で切断して見た断面を示す図である。
【図１３】本発明による陰極線管の他の実施例を示す図である。
【符号の説明】
１…蛍光体スクリーン
２…シャドーマスク
３…偏向ヨーク
４…電子銃
２０…上側巻型
２１…下側巻型
３１…水平偏向コイル
３２…ホルダー
３３…垂直偏向コイル
３４…フェライトコア
３５…コンバージェンスヨーク
３６…永久磁石
４０…巻型中心線
４１…対角
【図１】
0003785146.tif 000002
【図２】
0003785146.tif 000003
【図３】
0003785146.tif 000004
【図４】
0003785146.tif 000005
【図５】
0003785146.tif 000006
【図６】
0003785146.tif 000007
【図７】
0003785146.tif 000008
【図８】
0003785146.tif 000009
【図９】
0003785146.tif 000010
【図１０】
0003785146.tif 000011
【図１１】
0003785146.tif 000012
【図１２】
0003785146.tif 000013
【図１３】
0003785146.tif 000014